(57)【要約】【課題】  放熱部の大きさを抑えて装置全体を小型化することが出来るスピーカ用増幅装置１を提供する。【解決手段】  本発明に係るスピーカ用増幅装置１は、少なくとも４台のスピーカ３〜８にそれぞれ音響信号を供給する少なくとも４つの増幅回路11a、11bを具えており、これら少なくとも４つの増幅回路は複数のブロック10a、10b、10cに分けられている。そして、該スピーカ用増幅装置１は、ブロック毎に、ブロックを構成する複数の増幅回路11a、11bにそれぞれ入力される音響信号の信号レベルを比較する比較器16を具えており、ブロック毎に、前記比較器16の比較結果に基づいて、少なくとも１つの増幅回路に対して高い電源電圧が供給されると共に該少なくとも１つの増幅回路以外の増幅回路に対して低い電源電圧が供給される。【選択図】      図１
2006025029.tif 000002
【特許請求の範囲】
【請求項１】
少なくとも４台のスピーカにそれぞれ音響信号を供給する少なくとも４つの増幅回路を具えた多チャンネルのスピーカ用増幅装置において、前記少なくとも４つの増幅回路は複数のブロックに分けられており、
ブロック毎に、ブロックを構成する複数の増幅回路にそれぞれ入力される音響信号の信号レベルを比較する比較手段と、
ブロック毎に、前記比較手段の比較結果に基づいて、少なくとも１つの増幅回路に対して高い電源電圧を供給すると共に該少なくとも１つの増幅回路以外の増幅回路に対して低い電源電圧を供給する電圧供給手段
とを具えていることを特徴とするスピーカ用増幅装置。
【請求項２】
各ブロックは２つの増幅回路から構成され、前記電圧供給手段は、各ブロックを構成する２つの増幅回路の内、音響信号の信号レベルが高い一方の増幅回路に対して高い電源電圧を供給すると共に、他方の増幅回路に対して低い電源電圧を供給する請求項１に記載のスピーカ用増幅装置。
【請求項３】
各増幅回路は、入力された音響信号を増幅する第１増幅手段と、第１増幅手段の出力信号をスピーカに供給して該スピーカを駆動する第２増幅手段とを具えており、前記電圧供給手段は、前記一方の増幅回路の第１増幅手段に対して高い電源電圧を供給すると共に、前記他方の増幅回路の第１増幅手段に対して低い電源電圧を供給する請求項２に記載のスピーカ用増幅装置。
【請求項４】
各増幅回路は、入力された音響信号を増幅する第１増幅手段と、第１増幅手段の出力信号をスピーカに供給して該スピーカを駆動する第２増幅手段とを具えており、前記電圧供給手段は、前記一方の増幅回路の第２増幅手段に対して高い電源電圧を供給すると共に、前記他方の増幅回路の第２増幅手段に対して低い電源電圧を供給する請求項２に記載のスピーカ用増幅装置。
【請求項５】
前記少なくとも４つの増幅回路には、前方に配置する左右一対のスピーカにそれぞれ音響信号を供給する前方左チャンネル増幅回路及び前方右チャンネル増幅回路と、後方に配置する左右一対のスピーカにそれぞれ音響信号を供給する後方左チャンネル増幅回路及び後方右チャンネル増幅回路とが含まれており、前方左チャンネル増幅回路及び後方左チャンネル増幅回路が１つのブロックとして分けられると共に、前方右チャンネル増幅回路及び後方右チャンネル増幅回路が１つのブロックとして分けられている請求項２乃至請求項４の何れかに記載のスピーカ用増幅装置。
【発明の詳細な説明】
【技術分野】
【０００１】
本発明は、少なくとも４台のスピーカにそれぞれ音響信号を供給する少なくとも４つの増幅回路を具えた多チャンネルのスピーカ用増幅装置に関するものである。
【背景技術】
【０００２】
従来、図５に示す如く、前方中央位置にセンタースピーカ(７)、前方左右に前方左チャンネルスピーカ(３)及び前方右チャンネルスピーカ(４)、後方左右に後方左チャンネルスピーカ(５)及び後方右チャンネルスピーカ(６)を配備すると共に、任意位置にはサブウーファスピーカ(８)を配備して、ＤＶＤプレーヤ等のオーディオ装置(２)から出力された音声信号をスピーカ用増幅装置(９)を経てこれらのスピーカへ供給する、５.１チャンネルのスピーカシステムが知られている。
【０００３】
スピーカ用増幅装置(９)は、図６に示す如く、前方左チャンネル音声信号を前方左チャンネルスピーカ(３)に供給する前方左チャンネル増幅回路(90a)と、前方右チャンネル音声信号を前方右チャンネルスピーカ(４)に供給する前方右チャンネル増幅回路(90b)と、後方左チャンネル音声信号を後方左チャンネルスピーカ(５)に供給する後方左チャンネル増幅回路(90c)と、後方右チャンネル音声信号を後方右チャンネルスピーカ(６)に供給する後方右チャンネル増幅回路(90d)と、センター音声信号をセンタースピーカ(７)に供給するセンター増幅回路(90e)と、サブウーファ音声信号をサブウーファスピーカ(８)に供給するサブウーファ増幅回路(90f)とを具え、各増幅回路は、入力された音声信号を増幅するプリアンプ回路(91)と、プリアンプ回路(91)の出力信号をスピーカに供給して該スピーカを駆動するパワーアンプ回路(92)とを具えている。各増幅回路のプリアンプ回路(91)及びパワーアンプ回路(92)にはそれぞれ、第１電源ライン(93)及び第２電源ライン(94)が接続されており、電源からの電源電圧がこれらの電源ライン(93)(94)を介してプリアンプ回路(91)及びパワーアンプ回路(92)に供給される。
【０００４】
上記スピーカ用増幅装置(９)のカタログ等には、例えば「アンプ出力１００Ｗ×６＝合計６００Ｗ」と表示されているが、該装置(９)に内蔵されている電源は６チャンネルの増幅回路から同時に１００Ｗの音声信号を出力し得る容量を有していないため、６チャンネルの増幅回路から同時に１００Ｗの音声信号を出力して合計６００Ｗの音声信号を出力することは出来ない。この表示は、６チャンネルの増幅回路のそれぞれから最大１００Ｗの音声信号を出力できる、即ち各増幅回路の定格出力が１００Ｗであるという意味である。
【０００５】
ところで、上記スピーカ用増幅装置(９)の製造工程においては、製品規格に従って後述の温度評価試験が行なわれる。即ち、温度評価試験においては、６チャンネルの全ての増幅回路に対して夫々、定格出力が得られる大きな電源電圧を供給した状態で音声信号を入力し、各増幅回路の出力信号の波形を見ながら、音声信号の供給源側で各増幅回路に入力する音声信号の信号レベルを各増幅回路の出力信号が歪む直前まで上昇させる。その後、各増幅回路に入力する音声信号の信号レベルを各増幅回路の出力信号の信号レベルが所定の信号レベル(例えば、歪む直前の信号レベルの１／８)となるまで下げ、このときの装置内部の温度上昇を測定して、温度上昇が許容範囲内であるか否かを判断する。
【０００６】
尚、放熱器及び電源容量を小さく出来る増幅回路が提案されている(特許文献１参照)。該増幅回路においては、複数の増幅器に入力される入力レベルが同時にある一定レベルを超え、その後、それらの入力レベルが所定時間内に下がらない場合に複数の増幅器の出力を低下させる。
【特許文献１】特開平１１−１７７３５９号公報
【発明の開示】
【発明が解決しようとする課題】
【０００７】
しかしながら、実際の音声信号再生時には、全ての増幅回路に対し、定格出力が得られる大きな電源電圧を供給した状態で出力信号が歪む直前の大きな音声信号が同時に入力されることがないにも拘わらず、スピーカ用増幅装置にその様な高負荷をかけた状態で温度評価試験が行なわれるため、ヒートシンクやフィンなどから構成される放熱部を必要以上に大きなものとしなければならず、装置全体が大型となる問題があった。
本発明の目的は、放熱部の大きさを抑えて装置全体を小型化することが出来るスピーカ用増幅装置を提供することである。
【課題を解決するための手段】
【０００８】
本発明に係るスピーカ用増幅装置は、少なくとも４台のスピーカにそれぞれ音響信号を供給する少なくとも４つの増幅回路を具えており、これら少なくとも４台の増幅回路は複数のブロックに分けられている。そして、該スピーカ用増幅装置は、
ブロック毎に、ブロックを構成する複数の増幅回路にそれぞれ入力される音響信号の信号レベルを比較する比較手段と、
ブロック毎に、前記比較手段の比較結果に基づいて、少なくとも１つの増幅回路に対して高い電源電圧を供給すると共に該少なくとも１つの増幅回路以外の増幅回路に対して低い電源電圧を供給する電圧供給手段
とを具えている。
【０００９】
上記本発明に係るスピーカ用増幅装置の温度評価試験においては、先ず、該装置を構成する少なくとも４つの増幅回路に対する音響信号の入力を開始し、その後、各増幅回路の出力信号の波形を見ながら、音響信号の供給源側で各増幅回路に入力する音響信号の信号レベルを上げていく。このとき、複数の増幅回路にそれぞれ入力される音響信号の信号レベルに僅かな差が生じることになる。
スピーカ用増幅装置においては、ブロック毎に、ブロックを構成する複数の増幅回路にそれぞれ入力される音響信号の信号レベルが比較され、その比較結果に基づいて、少なくとも１つの増幅回路に対して高い電源電圧が供給されると共に、該少なくとも１つの増幅回路以外の増幅回路に対して低い電源電圧が供給される。この状態で、各増幅回路に入力する音響信号の信号レベルを更に上げていくと、先ず、低い電源電圧が供給されている増幅回路の出力信号が歪み始めることとなるが、その直前で該増幅回路に対する音響信号の信号レベルを上げる操作を停止する。次に、高い電源電圧が供給されている増幅回路の出力信号が歪み始める直前で、該増幅回路に対する音響信号の信号レベルを上げる操作を停止する。その後、各増幅回路に入力する音響信号の信号レベルを各増幅回路の出力信号の信号レベルが所定の信号レベルとなるまで下げ、このときの装置内部の温度上昇を測定して、温度上昇が許容範囲内であるか否かを判断する。スピーカ用増幅装置の温度上昇が許容範囲内であれば、放熱特性は良好であると判断されて、該スピーカ用増幅装置は商品として出荷される。
上記スピーカ用増幅装置においては、上述の如く、各ブロックを構成する複数の増幅回路の内、少なくとも１つの増幅回路以外の増幅回路に対する電源電圧を下げることによって、該装置を構成する複数の増幅回路の内、一部の複数の増幅回路の発熱を抑制することが出来るので、放熱部を小さくすることが出来る。
【００１０】
その後、ユーザが上記スピーカ用増幅装置を購入して使用する際には、該スピーカ用増幅装置の少なくとも４つの増幅回路に少なくとも４台のスピーカが接続される。
スピーカ用増幅装置に、例えばＤＶＤプレーヤ等のオーディオ装置から出力された音響信号が入力されると、ブロック毎に、ブロックを構成する複数の増幅回路にそれぞれ入力される音響信号の信号レベルが比較される。そして、その比較結果に基づいて、少なくとも１つの増幅回路に対して高い電源電圧が供給されると共に、該少なくとも１つの増幅回路以外の増幅回路に対して低い電源電圧が供給される。ここで、映画や音楽の音響信号の信号レベルはチャンネル毎に区々であり、時々刻々と変化する。従って、各増幅回路は、高電圧が供給されている状態と低電圧が供給されている状態との間で繰り返し切り替わることになる。
尚、増幅回路に供給される電源電圧が低い状態では出力信号が歪み始める入力信号レベルが低くなるが、映画や音楽の音響信号の再生時に電源電圧が低い状態で出力信号が歪み始める信号レベル以上の音響信号が１つのブロックを構成する複数の増幅回路に同時に入力されることは殆どない。又、増幅回路に供給される電源電圧が低い状態では出力可能な信号レベル範囲(ダイナミックレンジ)が狭くなるが、ユーザが映画を観る際や音楽を聴く際に音量調整ダイヤルを最大音量位置に設定することは殆どなく、音量調整ダイヤルを最大音量よりも音量の低い位置に設定した状態では、信号レベルが最大の音響信号が該増幅回路に入力されたとしても、その出力信号は前記信号レベル範囲内の小さなものとなる。従って、供給される電源電圧が低い増幅回路の出力信号が歪んで、該増幅回路に接続されたスピーカから正常な音声が得られず、本来の音量が得られないという事態の可能性は低い。
【００１１】
具体的には、各ブロックは２つの増幅回路から構成され、前記電圧供給手段は、各ブロックを構成する２つの増幅回路の内、音響信号の信号レベルが高い一方の増幅回路に対して高い電源電圧を供給すると共に、他方の増幅回路に対して低い電源電圧を供給する。該具体的構成によれば、供給される電源電圧が低い増幅回路の出力信号が歪んで、該増幅回路に接続されたスピーカから正常な音声が得られず、本来の音量が得られないという事態の可能性を低下させることが出来る。
【００１２】
又、具体的には、各増幅回路は、入力された音響信号を増幅する第１増幅手段と、第１増幅手段の出力信号をスピーカに供給して該スピーカを駆動する第２増幅手段とを具えており、前記電圧供給手段は、前記一方の増幅回路の第１増幅手段に対して高い電源電圧を供給すると共に、前記他方の増幅回路の第１増幅手段に対して低い電源電圧を供給する。
或いは、各増幅回路は、入力された音響信号を増幅する第１増幅手段と、第１増幅手段の出力信号をスピーカに供給して該スピーカを駆動する第２増幅手段とを具えており、前記電圧供給手段は、前記一方の増幅回路の第２増幅手段に対して高い電源電圧を供給すると共に、前記他方の増幅回路の第２増幅手段に対して低い電源電圧を供給する。
【００１３】
更に具体的には、前記少なくとも４つの増幅回路には、前方に配置する左右一対のスピーカにそれぞれ音響信号を供給する前方左チャンネル増幅回路及び前方右チャンネル増幅回路と、後方に配置する左右一対のスピーカにそれぞれ音響信号を供給する後方左チャンネル増幅回路及び後方右チャンネル増幅回路とが含まれており、前方左チャンネル増幅回路及び後方左チャンネル増幅回路が１つのブロックとして分けられると共に、前方右チャンネル増幅回路及び後方右チャンネル増幅回路が１つのブロックとして分けられている。
【００１４】
映画や音楽の音響信号の再生時に、供給される電源電圧の低い増幅回路の出力信号が歪み始める信号レベル以上の音響信号が、前方左チャンネル増幅回路と後方左チャンネル増幅回路に同時に入力されることは殆どない。又、前記信号レベル以上の音響信号が、前方右チャンネル増幅回路と後方右チャンネル増幅回路に同時に入力されることは殆どない。
そこで、上記具体的構成においては、前方左チャンネル増幅回路及び後方左チャンネル増幅回路を１つのブロックとして、入力信号の信号レベルが高い方の増幅回路に対して高い電源電圧、信号レベルの低い方の増幅回路に対して低い電源電圧が供給されると共に、前方右チャンネル増幅回路及び後方右チャンネル増幅回路を１つのブロックとして、入力信号の信号レベルが高い方の増幅回路に対して高い電源電圧、信号レベルの低い方の増幅回路に対して低い電源電圧が供給される。これによって、供給される電源電圧が低い増幅回路の出力信号が歪んで、該増幅回路に接続されたスピーカから正常な音声が得られず、本来の音量が得られないという事態の可能性を更に低下させることが出来る。
【発明の効果】
【００１５】
本発明に係るスピーカ用増幅装置によれば、放熱部の大きさを抑えて装置全体を小型化することが出来る。
【発明を実施するための最良の形態】
【００１６】
以下、本発明の実施の形態につき、図面に沿って具体的に説明する。
本発明に係るスピーカ用増幅装置(１)は、図１に示す如く、前方左チャンネル音声信号、後方左チャンネル音声信号、前方右チャンネル音声信号、後方右チャンネル音声信号、センター音声信号及びサブウーファ音声信号の入力を受けて、これらの音声信号を増幅して、前方左チャンネルスピーカ(３)、後方左チャンネルスピーカ(５)、前方右チャンネルスピーカ(４)、後方右チャンネルスピーカ(６)、センタースピーカ(７)及びサブウーファスピーカ(８)に供給し、これらのスピーカを駆動するものである。
【００１７】
上記スピーカ用増幅装置(１)は、後述の３つのブロック(10a)(10b)(10c)から構成されている。
第１ブロック(10a)は、前方左チャンネル音声信号を増幅して前方左チャンネルスピーカ(３)に供給する第１増幅回路(11a)と、後方左チャンネル音声信号を増幅して後方左チャンネルスピーカ(５)に供給する第２増幅回路(11b)とを具え、第２ブロック(10b)は、前方右チャンネル音声信号を増幅して前方右チャンネルスピーカ(４)に供給する第１増幅回路(11a)と、後方右チャンネル音声信号を増幅して後方右チャンネルスピーカ(６)に供給する第２増幅回路(11b)とを具えている。そして、第３ブロック(10c)は、センター音声信号を増幅してセンタースピーカ(７)に供給する第１増幅回路(11a)と、サブウーファ音声信号を増幅してサブウーファスピーカ(８)に供給する第２増幅回路(11b)とを具えている。
【００１８】
各ブロックの第１増幅回路(11a)及び第２増幅回路(11b)はそれぞれ、入力された音声信号を増幅するプリアンプ回路(12)と、プリアンプ回路(12)の出力信号をスピーカに供給して該スピーカを駆動するパワーアンプ回路(13)とを具えている。プリアンプ回路(12)及びパワーアンプ回路(13)にはそれぞれ、第１電源ライン(14)及び第２電源ライン(15)が接続されており、電源からの電源電圧がこれらの電源ライン(14)(15)を介してプリアンプ回路(12)及びパワーアンプ回路(13)に供給される。
第１及び第２増幅回路(11a)(11b)のプリアンプ回路(12)(12)に接続されている第１電源ライン(14)(14)にはそれぞれ抵抗器Ｒが介在しており、抵抗器Ｒの両端にはスイッチＳＷが接続されている。２つのスイッチＳＷ、ＳＷには、前記比較器(16)の出力信号が供給されて、各スイッチがオン／オフされる。
【００１９】
上記スピーカ用増幅装置(１)の温度評価試験においては、先ず、該装置を構成する６つの増幅回路に対する音声信号の入力を開始し、その後、各増幅回路の出力信号の波形を見ながら、音声信号の供給源側で各増幅回路に入力する音声信号の信号レベルを上げていく。このとき、６つの増幅回路にそれぞれ入力される音声信号の信号レベルに僅かな差が生じることになる。
スピーカ用増幅装置(１)においては、ブロック毎に、比較器(16)によって第１及び第２増幅回路(11a)(11b)にそれぞれ入力される音声信号の信号レベルが比較される。そして、比較器(16)から、これらの増幅回路(11a)(11b)の内、信号レベルが高い方の増幅回路に接続されているスイッチＳＷに対してスイッチングオン信号が供給されると共に、信号レベルが低い方の増幅回路に接続されているスイッチＳＷに対してスイッチングオフ信号が供給される。この結果、信号レベルが高い方の増幅回路に接続されているスイッチＳＷはオンに設定されて、電源から所定の大きさの電源電圧が該増幅回路のプリアンプ回路(12)に供給される。ここで、所定の大きさは、増幅回路から定格出力が得られる大きさに設定されている。これに対し、信号レベルが低い方の増幅回路に接続されているスイッチＳＷはオフに設定され、電源からの前記所定の大きさの電源電圧は抵抗器Ｒにより低下して、該電源電圧よりも低い電源電圧が該増幅回路のプリアンプ回路(12)に供給される。
【００２０】
この状態で、各増幅回路に入力する音声信号の信号レベルを更に上げていくと、先ず、各ブロックを構成する第１及び第２増幅回路(11a)(11b)の内、低い電源電圧が供給されている増幅回路の出力信号が歪み始めることとなるが、その直前で該増幅回路に対する音声信号の信号レベルを上げる操作を停止する。その後、高い電源電圧が供給されている増幅回路の出力信号が歪み始める直前で、該増幅回路に対する音声信号の信号レベルを上げる操作を停止する。
図２は、正弦波状に変化する音声信号を上記スピーカ用増幅装置(１)に入力した場合に、高い電源電圧ＶＨが供給されている増幅回路から出力される信号の波形を表わし、図３は、低い電源電圧ＶＬが供給されている増幅回路から出力される信号の波形を表わしており、低い電源電圧ＶＬが供給されている増幅回路が出力可能な信号レベル範囲は、高い電源電圧ＶＨが供給されている増幅回路に比べて狭くなる。
各増幅回路に入力する音声信号の信号レベルを、図２及び図３に示す如く各増幅回路の出力信号が歪む直前まで上昇させた後、各増幅回路の出力信号の信号レベルが所定の信号レベル(例えば、歪む直前の信号レベルの１／８)となるまで下げ、このときの装置内部の温度上昇を測定して、温度上昇が許容範囲内であるか否かを判断する。スピーカ用増幅装置(１)の温度上昇が許容範囲内であれば、放熱特性は良好であると判断されて、該スピーカ用増幅装置(１)は商品として出荷される。
上述の如く、各ブロックを構成する第１及び第２増幅回路(11a)(11b)の内、一方の増幅回路に対する電源電圧を前記所定の大きさの電源電圧よりも低下させることによって、３つの増幅回路の発熱を抑制することが出来るので、放熱部を小さくすることが出来る。
【００２１】
その後、ユーザが上記スピーカ用増幅装置(１)を購入して使用する際には、６つの増幅回路の入力端子にＤＶＤプレーヤ等のオーディオ装置が接続されると共に、図１に示す如く、これらの増幅回路の出力端子(図示省略)にそれぞれ、前方左チャンネルスピーカ(３)、後方左チャンネルスピーカ(５)、前方右チャンネルスピーカ(４)、後方右チャンネルスピーカ(６)、センタースピーカ(７)及びサブウーファスピーカ(８)が接続される。
該スピーカ用増幅装置(１)にオーディオ装置から出力された音声信号が入力されると、ブロック毎に、比較器(16)によってブロックを構成する第１増幅回路(11a)及び第２増幅回路(11b)にそれぞれ入力される音声信号の信号レベルが比較され、該比較器(16)から、これらの増幅回路(11a)(11b)の内、信号レベルが高い方の増幅回路に接続されているスイッチＳＷに対してスイッチングオン信号が供給されると共に、信号レベルが低い方の増幅回路に接続されているスイッチＳＷに対してスイッチングオフ信号が供給される。この結果、信号レベルが高い方の増幅回路に接続されているスイッチＳＷはオンに設定されて、電源から前記所定の大きさの電源電圧が該増幅回路のプリアンプ回路(12)に供給される。これに対し、信号レベルが低い方の増幅回路に接続されているスイッチＳＷはオフに設定され、電源からの前記所定の大きさの電源電圧は抵抗器Ｒにより低下して、該電源電圧よりも低い電源電圧が該増幅回路のプリアンプ回路(12)に供給される。ここで、映画や音楽の音声信号の信号レベルはチャンネル毎に区々であり、時々刻々と変化する。従って、各増幅回路は、高電圧が供給されている状態と低電圧が供給されている状態との間で繰り返し切り替わることになる。
【００２２】
尚、増幅回路に供給される電源電圧が低い状態では出力信号が歪み始める入力信号レベルが低くなるが、映画や音楽の音声信号の再生時に、電源電圧が低い状態で出力信号が歪み始める信号レベル以上の大きな音声信号が、前方左チャンネル増幅回路と後方左チャンネル増幅回路に同時に入力されることは殆どない。又、前記信号レベル以上の大きな音声信号が、前方右チャンネル増幅回路と後方右チャンネル増幅回路に同時に入力されることは殆どない。又、増幅回路に供給される電源電圧が低い状態では出力可能な信号レベル範囲が狭くなるが、ユーザが映画を観る際や音楽を聴く際に音量調整ダイヤルを最大音量位置に設定することは殆どなく、音量調整ダイヤルを最大音量よりも音量の低い位置に設定した状態では、信号レベルが最大の音声信号が該増幅回路に入力されたとしても、その出力信号は前記信号レベル範囲内の小さいものとなる。従って、供給される電源電圧が低い増幅回路の出力信号が歪んで、該増幅回路に接続されたスピーカから正常な音声が得られず、本来の音量が得られないという事態の可能性は極めて低い。
【００２３】
本発明に係るスピーカ用増幅装置(１)においては、上述の如く放熱部を小さくすることが出来るので、装置全体を小型化することが出来る。
又、各増幅回路に前記所定の大きさの電源電圧が供給されている状態では、定格出力を得ることが出来る。
【００２４】
尚、本発明の各部構成は上記実施の形態に限らず、特許請求の範囲に記載の技術的範囲内で種々の変形が可能である。
例えば上記実施の形態においては、図１に示す如く、各増幅回路のプリアンプ回路(12)に対する電源電圧を高電圧と低電圧との間で切り換えているが、図４に示す如く、パワーアンプ回路(13)に接続されている第２電源ライン(15)に抵抗器Ｒを介在させると共に該抵抗器Ｒの両端にスイッチＳＷを接続して、該スイッチＳＷをオン／オフすることによりパワーアンプ回路(13)に対する電源電圧を高電圧と低電圧との間で切り換える構成を採用することも可能である。
又、図１に示す如く、２つの増幅回路(11a)(11b)から１つのブロックを構成しているが、３つ以上の増幅回路から１つのブロックを構成して、それら３つ以上の増幅回路にそれぞれ入力される音声信号の信号レベルを比較する構成を採用することも可能である。
更に、各増幅回路に、高電圧を供給するための電源と低電圧を供給するための電源とを接続することも可能である。
更に又、有接点スイッチＳＷに代えて、無接点スイッチである半導体スイッチを採用することも可能である。
【図面の簡単な説明】
【００２５】
【図１】本発明に係るスピーカ用増幅装置の構成を表わすブロック図である。
【図２】温度評価試験において高い電源電圧が供給されている増幅回路の出力信号を表わす波形図である。
【図３】温度評価試験において低い電源電圧が供給されている増幅回路の出力信号を表わす波形図である。
【図４】本発明に係るスピーカ用増幅装置の他の構成を表わすブロック図である。
【図５】５.１チャンネルのスピーカシステムの構成を表わす斜視図である。
【図６】従来のスピーカ用増幅装置の構成を表わすブロック図である。
【符号の説明】
【００２６】
(１)   スピーカ用増幅装置
(11a)  第１増幅回路
(11b)  第２増幅回路
(12)   プリアンプ回路
(13)   パワーアンプ回路
(14)   第１電源ライン
(15)   第２電源ライン
(16)   比較器
Ｒ     抵抗器
ＳＷ   スイッチ
【図１】
2006025029.tif 000003
【図２】
2006025029.tif 000004
【図３】
2006025029.tif 000005
【図４】
2006025029.tif 000006
【図５】
2006025029.tif 000007
【図６】
2006025029.tif 000008